(57)【要約】【課題】撮像部の揺れを抑え、かつ使用し易い透過式映像表示装置を提供する。【解決手段】この透過式映像表示装置１は、被写体を撮像する撮像部１１０と、撮像部１１０で撮像した映像を表示し、接眼光学系１０１により眼に導いて表示した映像の虚像を提供するとともに、外界からの光を板状部材を透過させて眼に導いて外界の像を提供する透過式映像表示部１２０とを備え、撮像部１１０をメガネの鼻あて部４の上方位置に配置している。【選択図】図１
2005284023.tif 000002
【特許請求の範囲】
【請求項１】
被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部をメガネの鼻あて部の上方位置に配置したことを特徴とする透過式映像表示装置。
【請求項２】
前記撮像部をメガネの鼻あて部の上部またはメガネフレームに配置したことを特徴とする請求項１に記載の透過式映像表示装置。
【請求項３】
被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部と前記透過式映像表示部とを鼻メガネに配置したことを特徴とする透過式映像表示装置。
【請求項４】
被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部をメガネの鼻あて部に備え、
前記透過式映像表示部をメガネのレンズ部に備え、
前記メガネの鼻あて部と前記メガネのレンズ部とを交換可能に構成したことを特徴とする透過式映像表示装置。
【請求項５】
被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部の位置を可変可能であることを特徴とする透過式映像表示装置。
【請求項６】
被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部を利き眼側に配置し、
前記透過式映像表示部を利き眼側に配置したことを特徴とする透過式映像表示装置。
【請求項７】
被写体を撮像する２つの撮像部と、
前記撮像部で撮像した映像を表示し、接眼光学系により眼に導いて表示した映像の虚像を提供するとともに、外界からの光を板状部材を透過させて眼に導いて外界の像を提供する２つの透過式映像表示部とを備え、
前記２つの撮像部と２つの透過式映像表示部とを両側の眼に対応して配置し、  前記撮像部と透過式映像表示部とを切り替え使用可能であることを特徴とする透過式映像表示装置。
【請求項８】
前記撮像部と透過式映像表示部とを利き眼により切り替え使用可能であることを特徴とする請求項７に記載の透過式映像表示装置。
【請求項９】
前記撮像部と透過式映像表示部とを視覚症状により切り替え使用可能であることを特徴とする請求項７に記載の透過式映像表示装置。
【請求項１０】
前記撮像部と透過式映像表示部とを使用状況により切り替え使用可能であることを特徴とする請求項７に記載の透過式映像表示装置。
【請求項１１】
前記撮像部の合焦距離が、１０ｃｍ以上３０ｃｍ未満であることを特徴とする請求項１乃至請求項１０のいずれか１項に記載の透過式映像表示装置。
【請求項１２】
前記撮像部が、両眼の瞳の中心から等距離に位置することを特徴とする請求項１乃至請求項６のいずれか１項に記載の透過式映像表示装置。    
【請求項１３】
前記２つの撮像部と前記２つの透過式映像表示部は、対をなし、左右対象に位置することを特徴とする請求項７乃至請求項１０のいずれか１項に記載の透過式映像表示装置。
【請求項１４】
前記透過式映像表示部は、眼の中心より顔の中心側に位置することを特徴とする請求項１乃至請求項１０のいずれか１項に記載の透過式映像表示装置。
【請求項１５】
前記撮像部により得た画像を、カラー表示またはモノクロ表示の切り替え可能であることを特徴とする請求項１乃至請求項１０のいずれか１項に記載の透過式映像表示装置。
【発明の詳細な説明】
【技術分野】
【０００１】
この発明は、顔前にて使用され、映像と共に外界の像を提供する透過式映像表示装置に関する。
【背景技術】
【０００２】
近年、顔前にて使用され、表示した映像の光と外界からの光を眼に導いて、映像と外界の像を提供する透過式映像表示装置があり、広い視界を確保するために、映像を表示する表示部は装置の周辺部に配置され、表示部からの光を眼に導くための接眼光学系と、接眼光学系を保持する透明板が眼の前に配置される。表示部からの光を反射して外界からの光を透過させる反射型のホログラム素子を接眼光学系として用いることで、映像の拡大虚像を外界の像に重ねて提供している。このような透過式映像表示装置は、眼鏡のような形状とされるものがあり、使用者は日常生活のあらゆる場面で装置を使用することができ、例えば、歩行中でも映像観察が可能である（例えば、特許文献１）。
【特許文献１】特開２００２−１５６６００号公報（第１頁〜第１６頁、図１〜図２２）
【発明の開示】
【発明が解決しようとする課題】
【０００３】
ところが、従来の透過式映像表示装置では、例えば視野狭窄の患者で、中心部しか見えないため、自然な姿勢で読書するには、文字を拡大するためには、撮像レンズを望遠にする必要があるが、そうすると頭の触れに対して、画像の触れが大きくなる。一方で、本を撮像カメラに近づけたいが、顔に対して自然に近づけると、両眼の中心になり、視界からはずれてしまう等の問題がある。
【０００４】
この発明は、かかる点に鑑みてなされたもので、撮像部の揺れを抑え、かつ使用し易い透過式映像表示装置を提供することを目的としている。
【課題を解決するための手段】
【０００５】
前記課題を解決し、かつ目的を達成するために、この発明は、以下のように構成した。
【０００６】
請求項１に記載の発明は、被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部をメガネの鼻あて部の上方位置に配置したことを特徴とする透過式映像表示装置である。
【０００７】
請求項２に記載の発明は、前記撮像部をメガネの鼻あて部の上部またはメガネフレームに配置したことを特徴とする請求項１に記載の透過式映像表示装置である。
【０００８】
請求項３に記載の発明は、被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部と前記透過式映像表示部とを鼻メガネに配置したことを特徴とする透過式映像表示装置である。
【０００９】
請求項４に記載の発明は、被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部をメガネの鼻あて部に備え、
前記透過式映像表示部をメガネのレンズ部に備え、
前記メガネの鼻あて部と前記メガネのレンズ部とを交換可能に構成したことを特徴とする透過式映像表示装置である。
【００１０】
請求項５に記載の発明は、被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部の位置を可変可能であることを特徴とする透過式映像表示装置である。
【００１１】
請求項６に記載の発明は、被写体を撮像する撮像部と、
前記撮像部で撮像した映像を表示し、接眼光学系により眼に導いて表示した映像の虚像を提供するとともに、外界からの光を板状部材を透過させて眼に導いて外界の像を提供する透過式映像表示部とを備え、
前記撮像部を利き眼側に配置し、
前記透過式映像表示部を利き眼側に配置したことを特徴とする透過式映像表示装置である。
【００１２】
請求項７に記載の発明は、被写体を撮像する２つの撮像部と、
前記撮像部で撮像した映像を表示し、接眼光学系により眼に導いて表示した映像の虚像を提供するとともに、外界からの光を板状部材を透過させて眼に導いて外界の像を提供する２つの透過式映像表示部とを備え、
前記２つの撮像部と２つの透過式映像表示部とを両側の眼に対応して配置し、  前記撮像部と透過式映像表示部とを切り替え使用可能であることを特徴とする透過式映像表示装置である。
【００１３】
請求項８に記載の発明は、前記撮像部と透過式映像表示部とを利き眼により切り替え使用可能であることを特徴とする請求項７に記載の透過式映像表示装置である。
【００１４】
請求項９に記載の発明は、前記撮像部と透過式映像表示部とを視覚症状により切り替え使用可能であることを特徴とする請求項７に記載の透過式映像表示装置である。
【００１５】
請求項１０に記載の発明は、前記撮像部と透過式映像表示部とを使用状況により切り替え使用可能であることを特徴とする請求項７に記載の透過式映像表示装置である。
【００１６】
請求項１１に記載の発明は、前記撮像部の合焦距離が、１０ｃｍ以上３０ｃｍ未満であることを特徴とする請求項１乃至請求項１０のいずれか１項に記載の透過式映像表示装置である。
【００１７】
請求項１２に記載の発明は、前記撮像部が、両眼の瞳の中心から等距離に位置することを特徴とする請求項１乃至請求項６のいずれか１項に記載の透過式映像表示装置である。
【００１８】
請求項１３に記載の発明は、前記２つの撮像部と前記２つの透過式映像表示部は、対をなし、左右対象に位置することを特徴とする請求項７乃至請求項１０のいずれか１項に記載の透過式映像表示装置である。
【００１９】
請求項１４に記載の発明は、前記透過式映像表示部は、眼の中心より顔の中心側に位置することを特徴とする請求項１乃至請求項１０のいずれか１項に記載の透過式映像表示装置である。
【００２０】
請求項１５に記載の発明は、前記撮像部により得た画像を、カラー表示またはモノクロ表示の切り替え可能であることを特徴とする請求項１乃至請求項１０のいずれか１項に記載の透過式映像表示装置である。
【発明の効果】
【００２１】
前記構成により、この発明は、以下のような効果を有する。
【００２２】
請求項１に記載の発明によれば、撮像部をメガネの鼻あて部の上方位置に配置したことで、撮像部のズレや揺れを抑えて確実に保持できる。また、左右の眼の真中の中心部の画像が見れることで、広い視野の画像を撮像することができる。  請求項２に記載の発明によれば、撮像部をメガネの鼻あて部の上部またはメガネフレームに配置し、撮像部を簡単かつ確実に保持できる。
【００２３】
請求項３に記載の発明によれば、撮像部と透過式映像表示部とを鼻メガネに配置した簡便な装置で広い視野の画像を撮像することができる。
【００２４】
請求項４に記載の発明によれば、撮像部をメガネの鼻あて部に備え、透過式映像表示部をメガネのレンズ部に備え、メガネの鼻あて部とメガネのレンズ部とを交換可能に構成したことで、使用者の症状等に応じて簡単に撮像部を交換することができる。
【００２５】
請求項５に記載の発明によれば、撮像部の位置を可変可能であり、読書、散歩等の使用状況で中央側に移動したり、あるいは利き眼、症状の悪い眼側に移動したりして使用することができる。
【００２６】
請求項６に記載の発明によれば、撮像部を利き眼側に配置し、透過式映像表示部を利き眼側に配置したことで、撮像部で撮像した映像と透過式映像表示部の表示との位置的なズレが少なく、違和感をなくすことができる。
【００２７】
請求項７に記載の発明によれば、２つの撮像部と２つの透過式映像表示部とを両側の眼に対応して配置し、撮像部と透過式映像表示部とを、使用状態、あるいは使用者の症状等に応じて切り替え使用することができる。
【００２８】
請求項８に記載の発明によれば、撮像部と透過式映像表示部とを利き眼により切り替え、撮像部からずれのない映像が得られる。
【００２９】
請求項９に記載の発明によれば、撮像部と透過式映像表示部とを視覚症状により切り替え、視覚症状に応じて好ましい映像が得られる。
【００３０】
請求項１０に記載の発明によれば、撮像部と透過式映像表示部とを使用状況により切り替え、読書や散歩等に応じた好ましい映像が得られる。
【００３１】
請求項１１に記載の発明は、撮像部の合焦距離が、１０ｃｍ以上３０ｃｍ未満であり、読書するとき等に好ましい映像が得られる。
【００３２】
請求項１２に記載の発明は、撮像部が、両眼の瞳の中心から等距離に位置し、両眼の中心になり、視界からはずれることなく、右眼、左眼それぞれとその真中の中心部の画像が見れることで、広い視野がとれる。
【００３３】
請求項１３に記載の発明は、２つの撮像部と２つの透過式映像表示部は、対をなし、左右対象に位置し、視界からはずれることなく、右眼、左眼それぞれとその真中の中心部の画像が見れることで、広い視野がとれる。
【００３４】
請求項１４に記載の発明は、透過式映像表示部は、眼の中心より顔の中心側に位置し、視線上で映像を見ることができる。
【００３５】
請求項１５に記載の発明は、撮像部により得た画像を、使用状況に応じてカラー表示またはモノクロ表示の切り替えることができる。
【発明を実施するための最良の形態】
【００３６】
以下、この発明の透過式映像表示装置の実施の形態について説明するが、この発明は、この実施の形態に限定されない。また、この発明の実施の形態は、発明の最も好ましい形態を示すものであり、この発明の用語はこれに限定されない。  第１の実施の形態
この発明の透過式映像表示装置の第１の実施の形態は、図１に示すように構成される。図１は透過式映像表示装置の斜視図である。この実施の形態の透過式映像表示装置１は、メガネフレーム２の左右にレンズ部３ａ，３ｂを有するメガネ式であり、被写体を撮像する撮像部１１０と透過式映像表示部１２０とが備えられている。
【００３７】
撮像部１１０は、例えばＣＣＤカメラで構成され、メガネの鼻あて部４の上方位置に配置している。透過式映像表示部１２０は、撮像部１１０で撮像した映像を表示し、接眼光学系１０１により眼に導いて表示した映像の虚像を提供するとともに、外界からの光を板状部材１２０ｂを透過させて眼に導いて外界の像を提供する。
【００３８】
この実施の形態では、撮像部１１０をメガネの鼻あて部４の上方位置に配置したことで、撮像部１１０のズレや揺れを抑えて確実に保持できる。また、左右の眼の真中の中心部の画像が見れることで、広い視野の画像を撮像することができる。透過式映像表示部１２０での表示は、この実施の形態では表示画面が横長になっているが、縦長にしてもよい。表示画面が縦長の場合には、読書する際に数文字見ることができる。また、読書以外に歩行の際等の視覚補助にも使用することができる。
【００３９】
また、図１（ａ）の実施の形態では、撮像部１１０をメガネの鼻あて部４の上部に配置し、図１（ｂ）の実施の形態では、撮像部１１０をメガネフレーム２に配置しており、それぞれ撮像部１１０を簡単かつ確実に保持できる。
【００４０】
第２の実施の形態
この発明の透過式映像表示装置の第２の実施の形態は、図２に示すように構成される。この実施の形態の透過式映像表示装置１は、図１に示す実施の形態と同様に構成される撮像部１１０と透過式映像表示部１２０を備え、この撮像部１１０と透過式映像表示部１２０とを鼻メガネ５に配置している。鼻メガネ５の鼻あて部５ａに撮像部１１０が配置され、メガネフレーム５ｂに透過式映像表示部１２０が配置されている。撮像部１１０と透過式映像表示部１２０とを鼻メガネ５に配置した簡便な装置であり、広い視野の画像を撮像することができる。
【００４１】
第３の実施の形態
この発明の透過式映像表示装置の第３の実施の形態は、図３に示すように構成される。この実施の形態の透過式映像表示装置１は、図１に示す実施の形態と同様に構成される撮像部１１０と透過式映像表示部１２０を備えているが、鼻あて部４がメガネフレーム２とは別体に形成されている。この別体の鼻あて部４に撮像部１１０が設けられ、メガネフレーム２のレンズ部３ａに透過式映像表示部１２０が備えられている。鼻あて部４はメガネのレンズ部３ａと交換可能であり、使用者の症状等に応じて簡単に撮像部１１０を交換することができる。
【００４２】
第４の実施の形態
この発明の透過式映像表示装置の第４の実施の形態は、図４に示すように構成される。この実施の形態の透過式映像表示装置１は、図１に示す実施の形態と同様に構成される撮像部１１０と透過式映像表示部１２０を備えているが、メガネフレーム２にラック２ａを形成し、撮像部１１０の外周にピニオン１１０ａを形成し、ラック２ａにピニオン１１０ａを噛み合わせスライダー６によって撮像部１１０をメガネフレーム２に移動可能に保持している。
【００４３】
撮像部１１０を回転すると、メガネフレーム２に沿って左右の眼を結ぶ線と平行に撮像部１１０が移動し、撮像部１１０の位置を可変可能である。この実施の形態では、左右のレンズ部３ａ，３ｂの範囲で、撮像部１１０の位置を可変可能であり、読書、散歩等の使用状況で中央側に移動したり、あるいは利き眼、症状の悪い眼側に移動したりして使用することができる。
【００４４】
第５の実施の形態
この発明の透過式映像表示装置の第５の実施の形態は、図５に示すように構成される。この実施の形態の透過式映像表示装置１は、図１に示す実施の形態と同様に構成される撮像部１１０と透過式映像表示部１２０を備えているが、図５（ａ）に示すように、撮像部１１０を利き眼側に配置し、透過式映像表示部１２０を利き眼側に配置している。撮像部１１０で撮像した映像と透過式映像表示部１２０の表示との位置的なズレが少なく、違和感をなくすことができる。また、図５（ｂ）に示すように、撮像部１１０を利き眼側に配置し、透過式映像表示部１２０を利き眼でない側に配置してもよい。この場合は、利き眼側に配置した撮像部１１０からずれのない映像が得られ、しかも左右の重量バランスを取ることができ撮像部１１０のズレや揺れを抑えて確実に保持できる。
【００４５】
第６の実施の形態
この発明の透過式映像表示装置の第６の実施の形態は、図６に示すように構成される。この実施の形態の透過式映像表示装置１は、図１に示す実施の形態と同様に構成される撮像部１１０と透過式映像表示部１２０を備えているが、２つの撮像部１１０，１１０と２つの透過式映像表示部１２０，１２０とを両側の眼に対応して配置している。この２つの透過式映像表示部１２０，１２０の間の中央位置に切替手段であるミラー７を配置し、このミラー７が左右へ回転して左右の撮像部１１０，１１０と透過式映像表示部１２０，１２０とを切り替え使用可能である。このように、２つの撮像部１１０，１１０と２つの透過式映像表示部１２０，１２０とを両側の眼に対応して配置し、使用状態、あるいは使用者の症状等に応じて切り替え使用することができる。
【００４６】
この撮像部１１０，１１０と透過式映像表示部１２０，１２０とを利き眼により切り替え使用可能であり、この切り替えで撮像部１１０，１１０からずれのない映像が得られる。
【００４７】
また、撮像部１１０，１１０と透過式映像表示部１２０，１２０とを視覚症状により切り替え使用可能であり、この切り替えで例えば悪い側の眼で使うようにする等、視覚症状に応じて好ましい映像が得られる。
【００４８】
また、撮像部１１０，１１０と透過式映像表示部１２０，１２０とを使用状況により切り替え使用可能であり、例えば左右の撮像部１１０，１１０の合焦距離が異なるものを用いる場合には、この切り替えで読書用と散歩用に分けて用いることができる。
【００４９】
また、２つの撮像部１１０，１１０と２つの透過式映像表示部１２０，１２０とを備えるものでは、一方側ずつ使用して利き眼検出に用いることができ、利き眼検出した後には利き眼側に切り替えて用いるようにしてもよい。
【００５０】
前記した第１の実施の形態乃至第５の実施の形態において、撮像部１１０の合焦距離が、１０ｃｍ以上３０ｃｍ未満であるものを用いることができ、この場合には読書するとき等に好ましい映像が得られる。
【００５１】
また、撮像部１１０が、両眼の瞳の中心から等距離に位置すると、撮像部１１０が両眼の中心になり、視界からはずれることなく、右眼、左眼それぞれとその真中の中心部の画像が見れることで、広い視野がとれる。
【００５２】
また、撮像部１１０により得た画像を、カラー表示またはモノクロ表示の切り替え可能であり、使用者の症状等に応じて切り替え使用することができる。
【００５３】
第５の実施の形態において、２つの撮像部１１０，１１０と２つの透過式映像表示部１２０，１２０は、対をなし、左右対象に位置すると、視界からはずれることなく、右眼、左眼それぞれとその真中の中心部の画像が見れることで、広い視野がとれる。
【００５４】
次に、透過式映像表示部１２０の構成を具体的に説明する。図３は表示部を含む断面図であり、透過式映像表示部１２０は、透過型の液晶表示器（ＬＣＤ）１１、筺体１２、プリズム１３、発光ダイオード（ＬＥＤ）１４、およびレンズ１５よりなる。ＬＣＤ１１は表示するための映像を表示し、表示した映像により照明光を変調する。筺体１２は、ＬＣＤ１１、ＬＥＤ１４およびレンズ１５を収容してこれらを保持する。ＬＥＤ１４はＬＣＤ１１を照明するための光源であり、レンズ１５はＬＥＤ１４が発した光をＬＣＤ１１の全面に均一に導くための照明光学系である。
【００５５】
ＬＣＤ１１の映像の表示やＬＥＤ１４の発光は、図示しない制御部によって制御され、撮像部１１０で撮像した画像情報を画像処理し、電力や映像信号を供給する。
【００５６】
プリズム１３は平板状であり、透明なガラスまたは樹脂で作製されている。プリズム１３はＬＣＤ１１からの光を眼Ｅに導いて、ＬＣＤ１１に表示された映像の虚像を表示する。プリズム１３の上端部は、縁の方が内部側よりも厚いくさび状とされており、筺体１２はこのくさび状の上端部を挟むようにして、プリズム１３に取り付けられている。
【００５７】
プリズム２０Ｌは平板状であり、単一の部材で構成されている。プリズム２０Ｒも平板状であるが、単一の部材ではなく、プリズム１３とプリズム２１で構成されている。プリズム２０Ｌおよびプリズム２１は、プリズム１３と同じ材料で作製されており、これら３者に屈折率の差はない。プリズム２０Ｒを成すプリズム１３とプリズム２１は相補的な形状を有し、隙間なく、かつ表面が連続するように接合されている。プリズム１３がくさび状の上端部を有することを除いて、プリズム２０Ｌ、２０Ｒは一般的な眼鏡同様対称形である。透過式映像表示装置１を顔前に装着した使用者は、プリズム２０Ｌ、２０Ｒを通して外界を観察することになる。
【００５８】
プリズム１３の下端部は、縁に向かうほど前面（眼Ｅから遠い面）が後面（眼Ｅに近い面）に近づくように作製されており、くさび状である。このくさび状の部位の前面すなわちプリズム２１との接合面は平面であり、この平面にはホログラム素子２２が形成されている。ホログラム素子は２２、装着時に眼Ｅの直前に位置する。プリズム１３およびホログラム素子２２が接眼光学系１０１を構成する。
【００５９】
プリズム１３は、ＬＣＤ１１からの光を、上端部の端面より内部に導き入れ、前面と後面で複数回全反射しながら、ホログラム素子２２に導く。ホログラム素子２２は、導かれた光を回折させて、平行光に近い光束としながら、眼Ｅに入射させる。これにより、使用者には、ＬＣＤ１１に表示された映像の虚像が表示される。ホログラム素子２２は外界からの光にはほとんど作用せず、虚像は外界の像の中央部に重なって観察される。
【００６０】
透過式映像表示部１２０では、ＬＣＤ１１からの光をプリズム１３の内部で反射しながらホログラム素子２２に導くようにしているため、プリズム２０Ｒを大きくすることが可能である。プリズム１３の下端部はくさび状であるが、同じ材質のプリズム２１に接合されているため、プリズム１３の下端部を透過する外界からの光に屈折は生じない。したがって、外界の像の中央部が歪んだり不連続になったりすることもなく、透過式映像表示部１２０は質の高い像を表示することができる。
【００６１】
ＬＣＤ１１は左右方向に長い長方形状であり、十数文字が横方向に並ぶ文字列を１〜数行表示することができる。このため、使用者は、映像から多くの情報を一度に得ることが可能である。なお、この実施の形態では、右眼に映像を表示するようにしているが、もちろん、左眼に映像を表示するようにしてもよい。
【００６２】
プリズム２０Ｌ、２０Ｒのパワーは使用者の視力に応じて設定する。プリズム２０Ｌ、２０Ｒに負のパワーをもたせることで近視を、正のパワーをもたせることで遠視を矯正することができる。プリズム１３Ｌ、１３Ｒの下端部のプリズム２１Ｌ、２１Ｒとの接合面は平面とされており、ホログラム素子２２Ｌ、２２Ｒの形成は容易である。
【００６３】
また、透過式映像表示部は、透過基板を用いた液晶部がレンズ部分に直接設置される形式や同じく透過基板を用いて自発光型の映像表示装置、例えば有機ＥＬがレンズ部分に直接設置される形式を用いることができる。
【産業上の利用可能性】
【００６４】
この発明は、撮像部で撮像した映像を表示し、接眼光学系により眼に導いて表示した映像の虚像を提供するとともに、外界からの光を板状部材を透過させて眼に導いて外界の像を提供する透過式映像表示部とを備える透過式映像表示装置に適用できる。
【図面の簡単な説明】
【００６５】
【図１】第１の実施の形態の透過式映像表示装置の斜視図である。
【図２】第２の実施の形態の透過式映像表示装置の斜視図である。
【図３】第３の実施の形態の透過式映像表示装置の斜視図である。
【図４】第４の実施の形態の透過式映像表示装置の斜視図である。
【図５】第５の実施の形態の透過式映像表示装置の斜視図である。
【図６】第６の実施の形態の透過式映像表示装置の斜視図である。
【図７】透過式映像表示装置の表示部を含む断面図である。
【符号の説明】
【００６６】
１  透過式映像表示装置
２  メガネフレーム
３ａ，３ｂ  レンズ部
４  鼻あて部
１０１  接眼光学系
１１０  撮像部
１２０  透過式映像表示部
１２０ｂ  板状部材
【図１】
2005284023.tif 000003
【図２】
2005284023.tif 000004
【図３】
2005284023.tif 000005
【図４】
2005284023.tif 000006
【図５】
2005284023.tif 000007
【図６】
2005284023.tif 000008
【図７】
2005284023.tif 000009